(57)【要約】【課題】複合無線装置内の無線ＬＡＮ装置と微弱電波無線装置との干渉を回避しつつ、複合無線装置と他の無線装置との干渉を回避すること。【解決手段】第一の無線通信及び第二の無線通信を同一のチャネル帯域内で行う複合無線装置１であって、無線ＬＡＮ装置１０は、複数チャネルを用いて第一の無線通信を行い、微弱電波無線装置２０は、第一の無線通信で用いられる複数チャネルと異なる他の複数チャネルを用いて第２の無線通信を行う。ここで、微弱電波無線装置２０は、第一の無線通信が停止した際、第一の無線通信の停止の直前に第一の無線通信で使用していたチャネル帯域内で、微弱電波無線装置２０による第二の無線通信で使用するチャネル周波数を設定する。【選択図】図１
2011146854.tif 000002
【特許請求の範囲】
【請求項１】
第一の無線通信及び第二の無線通信を同一のチャネル帯域内で行う情報端末であって、
複数チャネルを用いて前記第一の無線通信を行う第一の無線通信手段と、
前記第一の無線通信で用いられる複数チャネルと異なる他の複数チャネルを用いて第二の無線通信を行う第二の無線通信手段と、を備え、
前記第二の無線通信手段は、前記第一の無線通信が停止した際、前記第一の無線通信の停止の直前に前記第一の無線通信で使用していたチャネル帯域内で、前記第二の無線通信手段による前記第二の無線通信で使用するチャネル周波数を設定する、
情報端末。
【請求項２】
前記第二の無線通信手段は、前記第二の無線通信で使用するチャネル周波数を設定後、前記第一の無線通信が停止から一定時間経過した場合に、前記第二の無線通信手段が使用可能な全てのチャネル帯域内で、第二の無線通信で使用するチャネル周波数を設定する、
請求項１記載の情報端末。
【請求項３】
前記第二の無線通信手段は、前記第二の無線通信で使用するチャネル周波数を設定後に、前記第二の無線通信で使用するチャネル周波数で干渉を検出した際、前記第二の無線通信手段が使用可能な全てのチャネル帯域内で、第二の無線通信で使用するチャネル周波数を設定する、
請求項１記載の情報端末。
【発明の詳細な説明】
【技術分野】
【０００１】
本発明は、情報端末に関する。
【背景技術】
【０００２】
現在、ＩＳＭ（Ｉｎｄｕｓｔｒｉａｌ  Ｓｃｉｅｎｃｅ  Ｍｅｄｉｃａｌ）（２４００〜２４８３．５ＭＨｚ）帯域を使用する無線通信装置の普及が進んでいる。このＩＳＭ帯域を使用する無線通信装置として、ＩＥＥＥ８０２．１１規格に準じた無線方式を用いる無線ＬＡＮ（Ｌｏｃａｌ  Ａｒｅａ  Ｎｅｔｗｏｒｋ）装置と、Ｂｌｕｅｔｏｏｔｈ（登録商標）等の微弱電波を使用した無線方式を用いた微弱電波無線装置とがあり、同一筐体（複合無線装置）内において利用することが想定される。
【０００３】
これらＩＳＭ帯域を利用する無線ＬＡＮ装置及び微弱電波無線装置は、同一の周波数を用いるため、同時使用することにより互いに干渉し合い、通信品質の低下、回線遮断が生じる。それらを回避する方法として、無線ＬＡＮ装置が使用していない周波数帯域を微弱電波無線装置が用いることで、互いに干渉を回避するという周波数分割方式が報告されている。
【０００４】
しかし、上記の周波数分割方式では、無線ＬＡＮ装置及び微弱電波無線装置が使用する周波数帯域(２４００〜２４８３．５ＭＨｚ)の大部分が無線ＬＡＮ装置又は他の無線通信機器によって利用されている場合には、微弱電波無線装置が使用できる周波数帯域が十分に確保できず、干渉に弱くなってしまうという課題がある。
【０００５】
このような課題に対し、特許文献１には、ＩＥＥＥ８０２．１１ｇによる無線ＬＡＮ装置を用い、無線ＬＡＮの通信状況に応じて、無線ＬＡＮで使用されるＯＦＤＭ（Ｏｔｈｏｇｏｎａｌ  Ｆｒｅｑｕｅｎｃｙ  Ｄｉｖｉｓｉｏｎ  Ｍｕｌｔｉｐｌｅｘｉｎｇ）のキャリア本数を最適化する方法が開示されている。無線ＬＡＮで使用されるＯＦＤＭのキャリア本数を最適化することで、無線ＬＡＮの使用周波数帯域を減らし（最適化し）、無線ＬＡＮの使用周波数帯域の最適化により開放された周波数帯域を用いて微弱電波無線装置が通信を行う。すなわち、複合無線装置において、無線ＬＡＮ装置は、無線ＬＡＮで使用するＯＦＤＭのキャリア本数を可変にし、微弱電波無線装置は、開放された周波数帯域を使用することで、互いの干渉を解決するという適応型周波数ホッピング方式を提案することにより本課題を解決している。
【先行技術文献】
【特許文献】
【０００６】
【特許文献１】特許４１２２７８９号公報
【発明の概要】
【発明が解決しようとする課題】
【０００７】
しかしながら、特許文献１では、複合無線装置内の無線ＬＡＮ装置と微弱電波無線装置との干渉は回避することができるが、複合無線装置と他の無線装置との干渉は回避することができないという課題がある。
【０００８】
本発明の目的は、複合無線装置内の無線ＬＡＮ装置と微弱電波無線装置との干渉を回避しつつ、複合無線装置と他の無線装置との干渉を回避することができる情報端末を提供することである。
【課題を解決するための手段】
【０００９】
本発明の情報端末は、第一の無線通信及び第二の無線通信を同一のチャネル帯域内で行う情報端末であって、複数チャネルを用いて前記第一の無線通信を行う第一の無線通信手段と、前記第一の無線通信で用いられる複数チャネルと異なる他の複数チャネルを用いて第二の無線通信を行う第二の無線通信手段と、を備え、前記第二の無線通信手段は、前記第一の無線通信が停止した際、前記第一の無線通信の停止の直前に前記第一の無線通信で使用していたチャネル帯域内で、前記第二の無線通信手段による前記第二の無線通信で使用するチャネル周波数を設定する構成を採る。
【発明の効果】
【００１０】
複合無線装置内の無線ＬＡＮ装置と微弱電波無線装置との干渉を回避しつつ、複合無線装置と他の無線装置との干渉を回避することができる。
【図面の簡単な説明】
【００１１】
【図１】本発明の実施形態１に係る複合無線装置のブロック構成図
【図２】本発明の実施形態１に係る複合無線装置の動作概念図（無線ＬＡＮ装置送受信開始時）
【図３】本発明の実施形態１に係る複合無線装置の動作概念図（無線ＬＡＮ装置送受信終了（直後））
【図４】本発明の実施形態１に係る複合無線装置の動作概念図（無線ＬＡＮ装置送受信（一定時間経過後）
【図５】本発明の実施形態１に係る複合無線装置による微弱電波無線装置のホッピング周波数決定処理を示すフローチャート
【図６】本発明の実施形態１に係る複合無線装置による微弱電波無線装置の使用周波数テーブル決定遷移例
【図７】本発明の実施形態１に係る複合無線装置の無線ＬＡＮ装置及び微弱電波無線装置およびアクセスポイントに対する制御動作を示すシーケンスチャート
【図８】本発明の実施形態２に係る複合無線装置による微弱電波無線装置のホッピング周波数決定処理を示すフローチャート
【図９】本発明の実施形態２に係る複合無線装置の無線ＬＡＮ装置及び微弱電波無線装置およびアクセスポイントに対する制御動作を示すシーケンスチャート
【発明を実施するための形態】
【００１２】
以下、本発明における実施の形態について、添付図面を参照しながら詳細に説明する。なお、以下の説明において、本発明に係る情報端末は、無線ＬＡＮ通信を行う無線ＬＡＮ装置と、周波数ホッピングによりＢｌｕｅｔｏｏｔｈ通信を行う微弱電波無線装置とを有する複合無線装置である。また、本発明に係る情報端末（複合無線装置）は、無線ＬＡＮ通信及びＢｌｕｅｔｏｏｔｈ通信を同一のチャネル帯域内で行う。
【００１３】
（実施の形態１）
図１は本発明の実施の形態１に係る複合無線装置の構成を示すブロック図である。図１に示すように、複合無線装置１は、複数チャネルを用いて無線ＬＡＮ（ＩＥＥＥ８０２．１１ｂ、ｇ）通信を実行する無線ＬＡＮ装置１０と、無線ＬＡＮ通信で用いられる複数チャネルと異なる他の複数チャネルを用いてＢｌｕｅｔｏｏｔｈ通信を実行する微弱電波無線装置２０とを有する複合無線装置である。
【００１４】
具体的には、無線ＬＡＮ装置１０は、アンテナ制御部１０１と、ＲＦ部１０２と、ベースバンド処理部１０３と、メモリ部１０４とを備える。また、ベースバンド処理部１０３は、通信ｃｈ検出部１０３ａと、通信ｓｔａｔｅ検出部１０３ｂと、通信ｔｉｍｉｎｇ検出部１０３ｃとを備える。
【００１５】
図１に示す無線ＬＡＮ装置１０において、アンテナ制御部１０１は、無線ＬＡＮ装置１０が具備するアンテナを制御する。そして、アンテナ制御部１０１は、アンテナを介して受信する信号（受信信号）をＲＦ部１０２に出力する。また、アンテナ制御部１０１は、ＲＦ部１０２から入力される信号（送信信号）をアンテナを介して送信する。
【００１６】
ＲＦ部１０２は、ベースバンド処理部１０３から入力されるベースバンドデータ（無線ＬＡＮデータ）をＤＳＳＳ（Ｄｉｒｅｃｔ  Ｓｅｑｕｅｎｃｅ  Ｓｐｒｅａｄ  Ｓｐｅｃｔｒｕｍ）方式又はＯＦＤＭ方式等の無線信号（送信信号）に変換し、この無線信号をアンテナ制御部１０１に出力する。また、ＲＦ部１０２は、アンテナ制御部１０１から入力される受信信号（例えば、ＤＳＳＳ方式又はＯＦＤＭ方式の信号）を、ベースバンドデータ（無線ＬＡＮデータ）に変換し、ベースバンドデータをベースバンド処理部１０３に出力する。
【００１７】
ベースバンド処理部１０３は、図示しない演算部から入力されるバイナリデータをベースバンドデータ（無線ＬＡＮデータ）に変換し、ベースバンドデータをＲＦ部１０２に出力する。また、ベースバンド処理部１０３は、ＲＦ部１０２から入力されるベースバンドデータをバイナリデータに変換し、バイナリデータを図示しない演算部に出力する。
【００１８】
また、ベースバンド処理部１０３は、無線ＬＡＮ通信される信号（ベースバンドデータ）が使用する周波数帯域（チャネル帯域）、通信状況及び通信タイミングを検出する。
【００１９】
具体的には、ベースバンド処理部１０３の通信ｃｈ検出部１０３ａは、ベースバンドデータの割当に使用する周波数帯域（チャネル帯域）を検出する。そして、通信ｃｈ検出部１０３ａは、検出した周波数帯域（チャネル帯域）を示す通信ｃｈ情報をメモリ部１０４に出力する。
【００２０】
通信ｓｔａｔｅ検出部１０３ｂは、ベースバンドデータの送受信の有無、つまり、無線ＬＡＮ通信の状態（送受信状態又は停止状態）を検出する。そして、通信ｓｔａｔｅ検出部１０３ｂは、検出した無線ＬＡＮ通信の状態（送受信状態又は停止状態）を示す通信ｓｔａｔｅ情報をメモリ部１０４に出力する。
【００２１】
通信ｔｉｍｉｎｇ検出部１０３ｃは、無線ＬＡＮ通信（つまり、上記ベースバンドの送受信）のタイミング（開始タイミング及び停止タイミング）を検出する。そして、通信ｔｉｍｉｎｇ検出部１０３ｃは、検出したタイミングを示す通信ｔｉｍｉｎｇ情報をメモリ部１０４に出力する。
【００２２】
メモリ部１０４は、通信ｃｈ検出部１０３ａから入力される通信ｃｈ情報、通信ｓｔａｔｅ検出部１０３ｂから入力される通信ｓｔａｔｅ情報、及び、通信ｔｉｍｉｎｇ検出部１０３ｃから入力される通信ｔｉｍｉｎｇ情報を格納する。また、メモリ部１０４は、格納している通信ｃｈ情報、通信ｓｔａｔｅ情報及び通信ｔｉｍｉｎｇ情報を、微弱電波無線装置２０の周波数テーブル選択部２０５に出力する。
【００２３】
一方、図１に示す微弱電波無線装置２０は、アンテナ制御部２０１と、ＲＦ部２０２と、ベースバンド処理部２０３と、メモリ部２０４と、周波数テーブル選択部２０５と、論理演算部２０６と、ホッピング周波数決定部２０７とを有している。
【００２４】
一方、図１に示す微弱電波無線装置２０において、アンテナ制御部２０１は、微弱電波無線装置２０が具備するアンテナを制御する。そして、アンテナ制御部２０１は、アンテナを介して受信する信号（受信信号）をＲＦ部２０２に出力する。また、アンテナ制御部２０１は、ＲＦ部２０２から入力される信号（送信信号）をアンテナを介して送信する。
【００２５】
ＲＦ部２０２は、ベースバンド処理部２０３から入力されるベースバンドデータをＦＨＳＳ（Ｆｒｅｑｕｅｎｃｙ  Ｈｏｐｐｉｎｇ  Ｓｐｒｅａｄ  Ｓｐｅｃｔｒｕｍ）方式等の無線信号（送信信号）に変換し、この無線信号をアンテナ制御部２０１に出力する。また、ＲＦ部２０２は、アンテナ制御部２０１から入力される受信信号（例えば、ＦＨＳＳ方式の信号）を、ベースバンドデータに変換し、ベースバンドデータをベースバンド処理部２０３に出力する。
【００２６】
ベースバンド処理部２０３は、後述するホッピング周波数決定部２０７で決定されたホッピング周波数に基づいて、図示しない演算部から入力されるバイナリデータをベースバンドデータに変換し、ベースバンドデータをＲＦ部２０２に出力する。また、ベースバンド処理部２０３は、ＲＦ部２０２から入力されるベースバンドデータをバイナリデータに変換し、バイナリデータを図示しない演算部に出力する。
【００２７】
メモリ部２０４は、周波数テーブル選択部２０５において通信ｃｈ情報と通信ｓｔａｔｅ情報に応じて選択される使用周波数テーブルの候補群を示す使用周波数テーブル情報を格納している。なお、使用周波数テーブルには、微弱電波無線装置２０が用いる可能性がある全周波数帯域の各チャネル周波数に対する微弱電波無線装置２０の使用可否が示される。また、メモリ部２０４は、図示しない検出部において微弱電波無線装置２０での通信において検出された、各周波数帯域（チャネル）の干渉状況を示す干渉ｃｈ情報を格納している。
【００２８】
周波数テーブル選択部２０５は、無線ＬＡＮ装置１０のメモリ部１０４に格納されている通信ｃｈ情報、通信ｓｔａｔｅ情報、通信ｔｉｍｉｎｇ情報、及び、メモリ部２０４に格納されている使用周波数テーブル情報を参照して、メモリ部２０４に格納されている使用周波数テーブル情報に示される使用周波数テーブルの候補群の中から使用周波数テーブルを選択する。
【００２９】
論理演算部２０６は、周波数テーブル選択部２０５で選択された使用周波数テーブルと、メモリ部２０４に蓄積されている干渉ｃｈ情報との論理演算を行い、論理演算結果を用いて使用周波数テーブルを作成する。そして、論理演算部２０６は、作成した使用周波数テーブルをホッピング周波数決定部２０７に出力する。
【００３０】
ホッピング周波数決定部２０７は、論理演算部２０６で作成された使用周波数テーブルに基づいてホッピング周波数を決定する。そして、ホッピング周波数決定部２０７は、決定したホッピング周波数を示す情報を、ベースバンド処理部２０３に出力する。
【００３１】
次に、図１に示す複合無線装置１における干渉回避制御処理について詳細に説明する。
【００３２】
以下の説明では、一例として、図２〜図４に示すように、複合無線装置１を含む複数の無線通信機器は、２４０２ＭＨｚ〜２４８０ＭＨｚの周波数帯域を用いる。図２では、無線ＬＡＮ装置１０は、帯域２０ＭＨｚの信号を周波数２４３２ＭＨｚ〜２４５２ＭＨｚで送受信している。また、微弱電波無線装置２０は、帯域１ＭＨｚの信号を２４０２ＭＨｚ〜２４８０ＭＨｚの周波数帯域にてホッピングさせる。
【００３３】
この場合、微弱電波無線装置２０が、図２に示す２４３２ＭＨｚ〜２４５２ＭＨｚ内の周波数帯域（無線ＬＡＮ装置１０が使用する周波数帯域。以下、干渉周波数帯域という）を使用してしまうと、無線ＬＡＮ装置１０と微弱電波無線装置２０とが互いの信号によって干渉を受け、通信性能が劣化してしまうことは周知である。
【００３４】
そのため、無線ＬＡＮ装置１０が帯域２０ＭＨｚの信号について周波数２４３２ＭＨｚ〜２４５２ＭＨｚで送受信を行っている場合には、微弱電波無線装置２０は、図２に示すように、干渉周波数帯域（２４３２ＭＨｚ〜２４５２ＭＨｚ）を回避して、帯域１ＭＨｚの信号を２４０２ＭＨｚ〜２４３２ＭＨｚ及び２４５２ＭＨｚ〜２４８０ＭＨｚの周波数帯域で送信する。つまり、複合無線装置１内では、無線ＬＡＮ装置１０及び微弱電波無線装置２０は互いに使用している周波数帯域を把握できるため、互いに使用している周波数帯域を回避して通信を行うことができる。このような、無線ＬＡＮ装置１０と微弱電波無線装置２０との間の干渉を回避できる周波数ホッピング方式は周知である。
【００３５】
しかしながら、上述した周波数ホッピング方式では複合無線装置１内の無線ＬＡＮ装置１０と微弱電波無線装置２０との間の干渉を回避できるものの、複合無線装置１と他の無線通信機器との間の干渉回避は不可能である。そのため、微弱電波無線装置２０と他の無線通信機器が互いの信号によって干渉を受け、通信性能の劣化が生じてしまう。
【００３６】
また、一般的に、無線通信機器は、干渉検出の機能を有しており、他の無線通信機器との干渉を回避するために、他の無線通信機器が利用している使用周波数帯域を回避して使用周波数帯域を決定し、無線通信を行うことは周知である。例えば、図２に示す他の無線通信機器は、周波数帯域（２４３２ＭＨｚ〜２４５２ＭＨｚ）で無線ＬＡＮ装置１０からの干渉を検出することで、周波数帯域（２４３２ＭＨｚ〜２４５２ＭＨｚ）の使用を回避する。
【００３７】
そこで、本実施の形態では、複合無線装置１は、無線ＬＡＮ装置１０で生成された通信ｃｈ情報、通信ｓｔａｔｅ情報及び通信ｔｉｍｉｎｇ情報を微弱電波無線装置２０に送信することにより、無線ＬＡＮ装置１０が使用していた周波数帯域（通信ｃｈ情報）及び無線通信終了のタイミング（通信ｓｔａｔｅ情報、通信ｔｉｍｉｎｇ情報）を通知する。そして、微弱電波無線装置２０は、無線ＬＡＮ装置１０が通信停止直前まで使用していた周波数帯域を用いて通信を行う。すなわち、複合無線装置１は、他の無線通信機器が無線ＬＡＮ装置１０の使用周波数帯域を回避して使用周波数帯域を決定していることを利用し、微弱電波無線装置２０と他の無線通信機器との間の信号干渉回避を実現している。
【００３８】
具体的には、無線ＬＡＮ装置１０で無線ＬＡＮ送受信中には、図２に示すように、無線ＬＡＮ装置１０は、帯域２０ＭＨｚの信号について周波数２４３２ＭＨｚ〜２４５２ＭＨｚで送受信を行う。この場合、微弱電波無線装置２０は、上記干渉周波数帯域（２４３２ＭＨｚ〜２４５２ＭＨｚ）を回避して、帯域１ＭＨｚの信号を２４０２ＭＨｚ〜２４３２ＭＨｚ及び２４５２ＭＨｚ〜２４８０ＭＨｚの周波数帯域を用いて送受信（周波数ホッピング通信）を行う。すなわち、図２では、２４３２ＭＨｚ〜２４５２ＭＨｚの周波数帯域は微弱電波無線通信非割当て領域となり、２４０２ＭＨｚ〜２４３２ＭＨｚ及び２４５２ＭＨｚ〜２４８０ＭＨｚの周波数帯域は、微弱電波無線通信割当て領域となる。これにより、無線ＬＡＮ装置１０と微弱電波無線装置２０との間の干渉を回避する。
【００３９】
次に、無線ＬＡＮ装置１０での無線ＬＡＮ送受信の終了直後には、図３に示すように、微弱電波無線装置２０は、無線ＬＡＮ装置１０が通信停止の直前まで使用していた周波数帯域（２４３２ＭＨｚ〜２４５２ＭＨｚ）内で周波数ホッピング通信を行う。つまり、微弱電波無線装置２０は、無線ＬＡＮ装置１０による無線ＬＡＮ通信が停止した際、無線ＬＡＮ通信の停止の直前に無線ＬＡＮ通信で使用していた周波数帯域（チャネル帯域）内で、微弱電波無線装置２０による通信で使用するチャネル周波数を設定する。すなわち、図３では、２４３２ＭＨｚ〜２４５２ＭＨｚの周波数帯域は微弱電波無線通信割当て領域となり、２４０２ＭＨｚ〜２４３２ＭＨｚ及び２４５２ＭＨｚ〜２４８０ＭＨｚの周波数帯域は、微弱電波無線通信非割当て領域となる。これにより、微弱電波無線装置２０と他の無線通信機器との間において使用周波数帯域の重複を回避し、互いの信号による干渉を回避することができる。
【００４０】
更に、無線ＬＡＮ装置１０での無線ＬＡＮ送受信の終了時刻から一定時間経過後には、図４に示すように、無線ＬＡＮ装置１０が送受信を行っていた使用周波数帯域（２４３２ＭＨｚ〜２４５２ＭＨｚ）内にも他の無線通信機器により使用周波数としてのマッピングが行われる。そのため、微弱電波無線装置２０は、使用周波数帯域を、微弱電波無線装置２０として使用できる全周波数帯域（２４０２ＭＨｚ〜２４８０ＭＨｚ）に再割り当てを行い、ホッピング通信を行う。すなわち、図４では、２４３２ＭＨｚ〜２４８０ＭＨｚの全周波数帯域が微弱電波無線通信割当て領域となる。これにより、微弱電波無線装置２０と他の無線通信機器との干渉確率を低減する。
【００４１】
次に、複合無線装置１における干渉回避制御処理の流れについて説明する。図５は、無線ＬＡＮ装置１０と微弱電波無線装置２０とが同時に使用される場合の、無線ＬＡＮ装置１０のベースバンド処理部１０３、微弱電波無線装置２０の周波数テーブル選択部２０５、論理演算部２０６、ホッピング周波数決定部２０７においてホッピング周波数が決定されるまでの手順を示すフローチャートを示す。
【００４２】
無線ＬＡＮ装置１０と微弱電波無線装置２０との同時使用が確認されると、無線ＬＡＮ装置１０のベースバンド処理部１０３の通信ｃｈ検出部１０３ａは通信ｃｈ情報をメモリ部１０４に通知する（ステップＳ１）。また、通信ｓｔａｔｅ検出部１０３ｂは通信ｓｔａｔｅ情報をメモリ部１０４に通知する（ステップＳ１）。
【００４３】
微弱電波無線装置２０の周波数テーブル選択部２０５は、ステップＳ１でメモリ部１０４に格納された通信ｓｔａｔｅ情報に基づいて、無線ＬＡＮ装置１０が送受信を行っているか否かを判定する（ステップＳ２）。無線ＬＡＮ装置１０が送受信を行っていない場合（ステップＳ２：Ｎｏ）、周波数テーブル選択部２０５は、無線ＬＡＮ装置１０が送受信を停止してから一定時間が経過したか否かを判定する（ステップＳ３）。無線ＬＡＮ装置１０が送受信を停止してから一定時間が経過していない場合（ステップＳ３：Ｎｏ）、周波数テーブル選択部２０５は、無線ＬＡＮ装置１０が通信を停止している状態から送受信を開始したか否かを判定する（ステップＳ４）。
【００４４】
無線ＬＡＮ装置１０が送受信を行っている場合（ステップＳ２：Ｙｅｓ）、周波数テーブル選択部２０５は、通信ｓｔａｔｅ情報に基づいて、無線ＬＡＮ装置１０の通信状態が送受信中の状態から停止の状態に切り替わったか否かを判定する（ステップＳ５）。
【００４５】
ステップＳ４において無線ＬＡＮ装置１０が送受信を開始する場合（ステップＳ４：Ｙｅｓ）、周波数テーブル選択部２０５は、ステップＳ１でメモリ部１０４に格納された通信ｃｈ情報を参照し、無線ＬＡＮ装置１０が使用していない周波数帯域（無線ＬＡＮ未使用帯域。例えば、図２に示す微弱電波無線通信割当て領域）が微弱電波無線装置２０に割り当てられた使用周波数テーブルを選択する（ステップＳ６）。ステップＳ４において無線ＬＡＮ装置１０が送受信を開始しない場合（ステップＳ４：Ｎｏ）、ステップＳ１の処理に戻る。
【００４６】
ステップＳ５において無線ＬＡＮ装置１０が送受信中から送受信停止に切り替えた直後には（ステップＳ５：Ｙｅｓ）、周波数テーブル選択部２０５は、送受信停止の直前まで無線ＬＡＮ装置１０が使用していた周波数帯域（すなわち、ステップＳ１でメモリ部１０４に格納された通信ｃｈ情報に示される周波数帯域）が微弱電波無線装置２０に割り当てられた使用周波数テーブルを選択する（ステップＳ８）。ステップＳ５において無線ＬＡＮ装置１０が送受信中から送受信停止に切り替えない場合（ステップＳ５：Ｎｏ）、ステップＳ１の処理に戻る。
【００４７】
ステップＳ３において無線ＬＡＮ装置１０が送受信を停止してから一定時間経過後には（ステップＳ３：Ｙｅｓ）、周波数テーブル選択部２０５は、微弱電波無線装置２０が使用可能な全周波数帯域が微弱電波無線装置２０に割り当てられた使用周波数テーブルを選択する（ステップＳ７）。
【００４８】
ステップＳ６、Ｓ７、Ｓ８のいずれかの処理後（つまり、使用周波数テーブル選択後）、論理演算部２０６は、メモリ部２０４に蓄積されている検出干渉ｃｈ情報と、上記ステップ（ステップ６、ステップ７、ステップ８）のいずれかで選択した使用周波数テーブルとの論理積を計算し、微弱電波無線装置２０の使用周波数テーブルを作成する（ステップＳ９）。ホッピング周波数決定部２０７は、ステップＳ９で作成された使用周波数テーブルに基づき、微弱電波無線装置２０のホッピング周波数を決定する（ステップＳ１０）。
【００４９】
次に、微弱電波無線装置２０における使用周波数テーブルの生成処理の詳細について説明する。
【００５０】
図６Ａは、微弱電波無線装置２０において用いられる使用周波数テーブルの一例を示す。図６Ａに示す使用周波数テーブルｔ１は、１６進数（０〜９、Ａ〜Ｆ）を２０文字用い、微弱電波無線装置２０が使用可能な周波数２４０２ＭＨｚ〜２４８０ＭＨｚの各周波数の使用可否を２０文字で表し、１文字あたり４ＭＨｚ相当で左から右にかけて周波数が大きくなる順で表す。例えば、図６Ａに示す使用周波数テーブルｔ１の２０文字うち左端に位置する‘Ｆ’（２進数では‘１１１１’）は２４０２ＭＨｚ、２４０３ＭＨｚ、２４０４ＭＨｚ及び２４０５ＭＨｚの４ＭＨｚ帯域の使用可否を表す。よって、図６Ａに示す使用周波数テーブルｔ１において、周波数２４０２ＭＨｚ〜２４８０ＭＨｚは「０ｘＦＦＦＦＦＦＦＦＦＦＦＦＦＦＦＦＦＦＦＥ」となる。また、図６Ａに示す使用周波数テーブルｔ１において、‘１（２進数）’は微弱電波無線装置２０の通信に使用可能な領域であることを表し、‘０（２進数）’は微弱電波無線装置２０の通信に使用されない領域であることを表している。
【００５１】
ここで、図６Ｂにおいて、微弱電波無線装置２０の通信所望時（図６Ｂでは無線ＬＡＮ装置１０の送受信開始時（以下、ケース（１）とする）、無線ＬＡＮ装置１０の送受信終了時（直後）（以下、ケース（２）とする）、無線ＬＡＮ装置１０の送受信終了直後から一定時間経過時（以下、ケース（３）とする））における検出干渉ｃｈ情報を「０ｘＦＥＦＤＦＦＦＦＦＥＤ７ＡＦＦＦＦＢＦＥ」とする（テーブルｔ２）。
【００５２】
無線ＬＡＮ装置１０において７ｃｈ（２４３２ＭＨｚ〜２４５２ＭＨｚ）で送受信を開始する場合（ケース（１））、微弱電波無線装置２０の周波数テーブル選択部２０５は、図６Ｂに示すように、無線ＬＡＮ装置１０が用いている２４３２ＭＨｚ〜２４５２ＭＨｚを回避すべく、２４３２ＭＨｚ〜２４５２ＭＨｚ相当分の周波数帯域が使用周波数帯域から除外された使用周波数テーブルｔ３「０ｘＦＦＦＦＦＦＦＦ０００００ＦＦＦＦＦＦＥ」を選択する。そして、論理演算部２０６は、図６Ｂに示すように、選択された使用周波数テーブルｔ３と検出干渉ｃｈ情報（テーブルｔ２）との論理積により、使用周波数テーブルｔ６「０ｘＦＥＦＤＦＦＦＦ０００００ＦＦＦＦＢＦＥ」を作成する。すなわち、ホッピング周波数決定部２０７は、検出干渉ｃｈ情報（テーブルｔ２）において‘１（２進数）’（つまり、微弱電波無線装置２０の通信に使用可能な領域）であり、かつ、使用周波数テーブルｔ３において‘１（２進数）’（つまり、無線ＬＡＮ装置１０での通信に使用されていない領域）である周波数を、微弱電波無線装置２０が周波数ホッピング通信を行う周波数として決定する。
【００５３】
また、無線ＬＡＮ装置１０において７ｃｈの送受信が停止した直後の場合（ケース（２））、微弱電波無線装置２０の周波数テーブル選択部２０５は、図６Ｂに示すように、送受信停止の直前まで無線ＬＡＮ装置１０が使用していた７ｃｈ（２４３２ＭＨｚ〜２４５２ＭＨｚ）が使用周波帯域として割り当てられた使用周波数テーブルｔ４「０ｘ００００００００ＦＦＦＦＦ０００００００」を選択する。そして、論理演算部２０６は、図６Ｂに示すように、選択された使用周波数テーブルｔ４と検出干渉ｃｈ情報（テーブルｔ２）との論理積により、使用周波数テーブルｔ７「０ｘ００００００００ＦＥＤ７Ａ０００００００」を作成する。すなわち、ホッピング周波数決定部２０７は、図６Ｂに示す使用周波数テーブルｔ４において‘１（２進数）’（つまり、無線ＬＡＮ装置１０における通信に使用されていた領域（図６Ｂでは２４３２ＭＨｚ〜２４５２ＭＨｚ））のうち、検出干渉ｃｈ情報（テーブルｔ２）において‘１（２進数）’（つまり、微弱電波無線装置２０の通信に使用可能な領域）である周波数を、微弱電波無線装置２０が周波数ホッピング通信を行う周波数として決定する。
【００５４】
更にその後、無線ＬＡＮ装置１０において７ｃｈの送受信停止した時刻から一定時間経過した場合（ケース（３））、微弱電波無線装置２０の周波数テーブル選択部２０５は、図６Ｂに示すように、微弱電波無線装置２０の使用周波数帯域として割当可能な全周波数帯域（２４０２ＭＨｚ〜２４８０ＭＨｚ）が割り当てられた使用周波数テーブルｔ５「０ｘＦＦＦＦＦＦＦＦＦＦＦＦＦＦＦＦＦＦＦＥ」を選択する。そして、論理演算部２０６は、図６Ｂに示すように、選択された使用周波数テーブルｔ５と検出干渉ｃｈ情報（テーブルｔ２）との論理積により、使用周波数テーブルｔ８「０ｘＦＥＦＤＦＦＦＦＦＥＤ７ＡＦＦＦＦＢＦＥ」を作成する。すなわち、ホッピング周波数決定部２０７は、検出干渉ｃｈ情報（テーブルｔ２）において‘１（２進数）’（つまり、微弱電波無線装置２０の通信に使用可能な領域）である周波数を、微弱電波無線装置２０が周波数ホッピング通信を行う周波数として決定する。
【００５５】
図７は、図１の複合無線装置１による無線ＬＡＮ装置１０と、微弱電波無線装置２０と、無線ＬＡＮにおけるアクセスポイント（ＡＰ）３０（図示せず）との間の制御を記したシーケンスチャートである。
【００５６】
図７では、無線ＬＡＮ装置１０および微弱電波無線装置２０が同時動作している。この状況下において、無線ＬＡＮ装置１０は、帯域幅２０ＭＨｚを用いてＡＰ３０にデータ送信を行う直前に、メモリ部１０４に格納されている通信ｃｈ情報、通信ｓｔａｔｅ情報と一緒に、通信開始のタイミングを示す通信ｔｉｍｉｎｇ情報を微弱電波無線装置２０に送信する（ステップａ１）。そして、無線ＬＡＮ装置１０は、微弱電波無線装置２０からＡＣＫを受信する（ステップａ２）。この後、微弱電波無線装置２０では、上述したように、周波数テーブル選択部２０５において周波数テーブルを選択した後、論理演算部２０６において論理演算により周波数テーブルが更新され、ホッピング周波数決定部２０７においてホッピング周波数が決定される。これにより、微弱電波無線装置２０は、例えば図２に示すように、無線ＬＡＮ装置１０の信号が割り当てられている周波数帯域以外の周波数帯域で周波数ホッピング通信を行う。一方、無線ＬＡＮ装置１０は、ＡＰ３０に対して単位データを送信し（ステップａ３）、ＡＰ３０からＡＣＫを受信する（ステップａ４）。
【００５７】
その後、無線ＬＡＮ装置１０は、ＡＰ３０に対して最終データを送信し（ステップａ５）、ＡＰ３０からＡＣＫを受信する（ステップａ６）。すなわち、ステップａ６により無線ＬＡＮ装置１０におけるデータ送信が完了する。そこで、無線ＬＡＮ装置１０は、メモリ部１０４に格納されている通信ｃｈ情報、通信ｓｔａｔｅ情報と一緒に、通信停止のタイミングを示す通信ｔｉｍｉｎｇ情報を微弱電波無線装置２０に送信する（ステップａ７）。そして、無線ＬＡＮ装置１０は、微弱電波無線装置２０からＡＣＫを受信する（ステップａ８）。この後、微弱電波無線装置２０では、上述したように、周波数テーブル選択部２０５において周波数テーブルを選択した後、論理演算部２０６において論理演算により周波数テーブルが更新され、ホッピング周波数決定部２０７においてホッピング周波数が決定される。これにより、微弱電波無線装置２０は、例えば図３に示すように、送信完了の直前まで無線ＬＡＮ装置１０の信号が割り当てられていた周波数帯域で周波数ホッピング通信を行う。
【００５８】
無線ＬＡＮ装置１０での送受信終了後、一定時間経過した後（ステップａ９）、微弱電波無線装置２０が一定時間経過した旨を無線ＬＡＮ装置１０に通知する（ステップａ１０）。次いで、無線ＬＡＮ装置１０は、メモリ部１０４に格納されている通信ｃｈ情報、通信ｓｔａｔｅ情報と一緒に、通信ｔｉｍｉｎｇ情報を微弱電波無線装置２０に送信する（ステップａ１１）。そして、無線ＬＡＮ装置１０は、微弱電波無線装置２０からＡＣＫを受信する（ステップａ１２）。この後、微弱電波無線装置２０では周波数テーブル選択部２０５において周波数テーブルを選択した後、論理演算部２０６において論理演算により周波数テーブルが更新され、ホッピング周波数決定部２０７においてホッピング周波数が決定される。これにより、微弱電波無線装置２０は、例えば図４に示すように、微弱電波無線装置２０が使用可能な全周波数帯域で周波数ホッピング通信を行う。
【００５９】
このように、本実施の形態では、無線ＬＡＮ装置１０の通信が停止した際、微弱電波無線装置２０は、無線ＬＡＮ装置１０が通信停止の直前まで使用していた使用周波数帯域内の周波数を、微弱電波無線装置２０の使用周波数帯域に設定する。これにより、微弱電波無線装置２０と重複する周波数帯域を用いる他の無線通信機器が存在した場合でも、微弱電波無線装置２０と他の無線通信機器との間に発生する信号の干渉を抑えることが可能となる。
【００６０】
また、本実施の形態では、微弱電波無線装置２０での無線通信（Ｂｌｕｅｔｏｏｔｈ通信）で使用するチャネル周波数（つまり、無線ＬＡＮ装置１０が通信停止の直前まで使用していた使用周波数帯域内の周波数）を設定後、無線ＬＡＮ装置１０での無線通信（無線ＬＡＮ通信）が停止から一定時間経過した場合に、微弱電波無線装置２０は、微弱電波無線装置２０が使用可能な全てのチャネル帯域内で、Ｂｌｕｅｔｏｏｔｈ通信で使用するチャネル周波数を設定する。無線ＬＡＮ通信の停止から一定時間経過後には、その無線ＬＡＮ通信で使用された周波数帯域には、複合無線装置１以外の他の無線装置の使用周波数もマッピングされ得る。そのため、微弱電波無線装置２０は、使用可能な全てのチャネル帯域内で、Ｂｌｕｅｔｏｏｔｈ通信で使用するチャネル周波数を設定することで、複合無線装置１と他の無線装置との干渉を回避することができる。
【００６１】
また、本実施の形態では、無線ＬＡＮ装置１０による無線ＬＡＮ通信と、微弱電波無線装置２０によるＢｌｕｅｔｏｏｔｈ通信とが同時に発生する場合には、微弱電波無線装置２０は、無線ＬＡＮ装置１０が使用している周波数帯域以外の周波数帯域を、微弱電波無線装置２０の使用周波数帯域に設定する。これにより、複合無線装置１では、無線ＬＡＮ通信とＢｌｕｅｔｏｏｔｈ通信とを、互いの信号による干渉を発生させることなく実行できる。
【００６２】
よって、本実施の形態によれば、複合無線装置内の無線ＬＡＮ装置と微弱電波無線装置との干渉を回避しつつ、複合無線装置と他の無線装置との干渉を回避することができる。
【００６３】
（実施の形態２）
実施の形態１では、無線ＬＡＮ装置１０の通信停止直前に使用していた周波数帯域を、微弱電波無線装置２０が使用する周波数帯域として設定後、無線ＬＡＮ装置１０の通信停止の時刻から一定時間経過後に、微弱電波無線装置２０が使用可能な全周波数帯域内で、微弱電波無線装置２０の通信で使用する周波数を設定する場合について説明した。これに対して、本実施の形態では、微弱電波無線装置２０は、無線ＬＡＮ装置１０の通信停止直前に使用していた周波数帯域を、微弱電波無線装置２０が使用する周波数帯域として設定後、その使用する周波数で干渉を検出した場合に、微弱電波無線装置２０が使用可能な全周波数帯域内で、微弱電波無線装置２０の通信で使用する周波数を設定する。
【００６４】
以下、本実施の形態について具体的に説明する。尚、本実施の形態に係る無線ＬＡＮ装置と微弱電波無線装置及びその内部構成は、上述した実施の形態１と同様であるため、以下、実施の形態１と同様の構成を用いて説明する。
【００６５】
図８は、本実施の形態における図１に示す無線ＬＡＮ装置１０と微弱電波無線装置２０とが同時に使用される場合の、無線ＬＡＮ装置１０のベースバンド処理部１０３、微弱電波無線装置２０の周波数テーブル選択部２０５、論理演算部２０６、ホッピング周波数決定部２０７においてホッピング周波数が決定されるまでの手順を示すフローチャートを示す。なお、図８において、実施の形態１（図５）と同一の処理には同一の符号を付しその説明を省略する。
【００６６】
図８において、無線ＬＡＮ装置１０が送受信を行っていない場合（ステップＳ２：Ｎｏ）、つまり、無線ＬＡＮ装置１０での無線ＬＡＮ通信が停止状態の場合、微弱電波無線装置２０の周波数テーブル選択部２０５は、メモリ部２０４に格納されている検出干渉ｃｈ情報を参照して、微弱電波無線装置２０の通信に使用している周波数で干渉が検出されたか否かを判定する（ステップＳ２１）。
【００６７】
微弱電波無線装置２０の通信に使用している周波数で干渉が検出された場合（ステップＳ２１：Ｙｅｓ）、周波数テーブル選択部２０５は、図５に示すステップＳ７と同様、微弱電波無線装置２０が使用可能な全周波数帯域が微弱電波無線装置２０に割り当てられた使用周波数テーブルを選択する（ステップＳ２２）。
【００６８】
すなわち、微弱電波無線装置２０は、図８に示すステップＳ８において、微弱電波無線通信で使用するチャネル周波数を設定後に、微弱電波無線通信で使用するチャネル周波数で干渉を検出した際、微弱電波無線装置２０が使用可能な全ての周波数帯域（チャネル帯域）内で、微弱電波無線通信で使用するチャネル周波数を設定する。
【００６９】
図９は、図１の複合無線装置１による無線ＬＡＮ装置１０と、微弱電波無線装置２０と、無線ＬＡＮにおけるアクセスポイント（ＡＰ）３０との間の制御を記したシーケンスチャートである。なお、図９において、実施の形態１（図７）と同一の処理には同一の符号を付しその説明を省略する。
【００７０】
具体的には、無線ＬＡＮ装置１０の送受信が停止した後（ステップａ３〜ａ６におけるデータ送信完了後）、微弱電波無線装置２０が干渉ｃｈを検出した際（ステップａ２１）、メモリ部２０４の検出干渉ｃｈ情報が更新される。微弱電波無線装置２０では、検出干渉ｃｈ情報の更新を使用周波数更新の動機として、メモリ部２０４から周波数テーブル選択部２０５を介して、干渉の検出を示す干渉ｃｈ検出通知がメモリ部１０４に送信される（ステップａ２２）。これを受けて、メモリ部１０４は、予め格納されている通信ｃｈ情報、通信ｓｔａｔｅ情報と一緒に通信ｔｉｍｉｎｇ情報を微弱電波無線装置２０に送信し（ステップａ１１）、微弱電波無線装置２０からＡＣＫを受信する（ステップａ１２）。この後、周波数テーブル選択部２０５では微弱電波無線装置２０が使用可能な全周波数帯域を指定した使用周波数テーブルが選択され、論理演算部２０６では選択された使用周波数テーブルと検出干渉ｃｈ情報との論理演算がされ、ホッピング周波数決定部２０７ではホッピング周波数が決定される。これにより、微弱電波無線装置２０は、例えば図４に示すように、微弱電波無線装置２０が使用可能な全周波数帯域で周波数ホッピング通信を行う。
【００７１】
すなわち、本実施の形態では、周波数テーブル選択部２０５が選択する使用周波数テーブルが、無線ＬＡＮ装置１０が通信停止の直前まで使用していた周波数帯域を指定した使用周波数テーブルから、微弱電波無線装置２０が使用可能な全周波数帯域を指定した使用周波数テーブルに変更される更新の動機が実施の形態１と異なる。具体的には、実施の形態１では、無線ＬＡＮ通信終了後から一定時間経過を使用周波数テーブルの更新の動機としているのに対し、本実施の形態では、微弱電波無線装置２０における干渉ｃｈの検出を使用周波数テーブルの更新の動機としている。
【００７２】
このようにして、本実施の形態によれば、微弱電波無線装置２０では、干渉ｃｈの検出を動機として、微弱電波無線装置２０における周波数ホッピング通信の使用周波数を更新する。この場合でも、実施の形態１と同様にして、複合無線装置内の無線ＬＡＮ装置と微弱電波無線装置との干渉を回避しつつ、複合無線装置と他の無線装置との干渉を回避することができる。
【００７３】
以上、本発明の各実施の形態について説明した。
【産業上の利用可能性】
【００７４】
本発明は、例えば、同一の周波数帯域を用いて無線ＬＡＮ装置と微弱電波無線装置とを複合させた複合無線装置等に有用である。
【符号の説明】
【００７５】
１  複合無線装置
１０  無線ＬＡＮ装置
２０  微弱電波無線装置
１０１，２０１  アンテナ制御部
１０２，２０２  ＲＦ部
１０３，２０３  ベースバンド処理部
１０３ａ  通信ｃｈ検出部
１０３ｂ  通信ｓｔａｔｅ検出部
１０３ｃ  通信ｔｉｍｉｎｇ検出部
１０４，２０４  メモリ部
２０５  周波数テーブル選択部
２０６  論理演算部
２０７  ホッピング周波数決定部
【図１】
2011146854.tif 000003
【図２】
2011146854.tif 000004
【図３】
2011146854.tif 000005
【図４】
2011146854.tif 000006
【図５】
2011146854.tif 000007
【図６】
2011146854.tif 000008
【図７】
2011146854.tif 000009
【図８】
2011146854.tif 000010
【図９】
2011146854.tif 000011